(57)【要約】【課題】携帯物を強力に握持または解放できる一方、ポケットなどに対して強力に保持したり取り外す操作を容易に行ったり、挟み込んだ物品を紐などを用いて吊すことを可能とするクリップを提供する。【解決手段】本体２の表裏両面に形成されて基端部を中心に傾動することで遊端部が開閉し、開閉によって本体２との間に携帯物１１やポケット１３を狭持または解放する一対の狭持片３，４と、両狭持片３，４の開閉を操作する操作片５，６と、吊り紐を通すためのリング部７とを有する。【選択図】      図１
2004340354.tif 000002
【特許請求の範囲】
【請求項１】
本体の表裏両面に形成されて基端部を中心に傾動することで遊端部が開閉し、開閉によって本体との間に対象物を狭持または解放する一対の狭持片と、
両狭持片の開閉を操作する操作片と、
吊り紐を通すためのリング部とを有することを特徴とするクリップ。
【請求項２】
前記リング部が、本体に対してワンタッチ操作によって着脱自在である請求項１に記載のクリップ。
【発明の詳細な説明】
【０００１】
【発明の属する技術分野】
本発明は、ＩＤカードやテレフォンカードなど各種カード、免許証、身分証明書などの携帯物を保持するクリップに関する。
【０００２】
【従来技術】
【特許文献１】特開２０００−５０９３５
従来より、ＩＤカードや免許証などの携帯物を保持するために、安全ピンやクリップなどによって、保持することが行われている。また、特許文献１には、定期券入れや名刺入れなどのカード入れをポケットなどに接続するためのクリップが記載されている。
【０００３】
このクリップはカード入れなどを衣服のポケットに入れた状態で、これをポケットに接続するためのクリップを有している。このクリップでワイシャツのポケットに免許証入れを挟んで収納することで、前かがみになったとしてもワイシャツのポケットから免許証入れが落ちないようにすることが可能である。
【０００４】
【発明が解決しようとする課題】
しかしながら、前記従来のクリップでは、免許証入れなどをポケットに収納した状態で保持することだけしか行えず、クリップによって免許証入れを挟み込む力の設定が極めて困難であった。
【０００５】
つまり、クリップの力が極めて強力であれば、免許証入れがポケットから落ちることを防止できるが、免許証を出そうとしたときにポケットからなかなか取り出すことができないという問題があった。一方、クリップの力を弱く設定した場合は、ポケットからの取り出しは容易に行えるが、免許証入れの重さによっては前かがみになったときに落ちることがあった。このため、免許証はポケットに入れた状態でクリップによってこれを止める必要があった。
【０００６】
また、ＩＤカードのような頻繁に使用する物品を携帯するときは、携帯物をクリップを用いてポケットに挟み込んだり、このクリップを取り外したりすることなく、いつでも取り出せるようにすることが望ましいが、従来のクリップではこのような使用を行うことができなかった。
【０００７】
本発明はこのような実情を考慮に入れてなされものであって、携帯物を強力に握持または解放できる一方、ポケットなどに対して強力に保持したり取り外す操作を容易に行ったり、挟み込んだ物品を紐などを用いて吊すことを可能とするクリップを提供することを目的としている。
【０００８】
【課題を解決するための手段】
本発明は上述の課題を解決するための手段を以下のように構成している。
すなわち、本発明のクリップは、本体の表裏両面に形成されて基端部を中心に傾動することで遊端部が開閉し、開閉によって本体との間に対象物を狭持または解放する一対の狭持片と、両狭持片の開閉を操作する操作片と、吊り紐を通すためのリング部とを有することを特徴としている（請求項１）。
【０００９】
したがって、前記クリップは一対の狭持片のうちの一方の狭持片を用いて携帯物を握持し、他方の狭持片を用いてポケットなどに保持することが可能である。また、携帯物をクリップによって保持した状態で吊し紐通し部に通された紐などを用いて携帯物を紐によって吊り下げることが可能となる。
【００１０】
加えて、操作片を操作することで容易に狭持片による開閉を切り換えることができるので、狭持片による携帯物の握持および解放や、ポケットなどの衣服への取り付けおよび取り外しを極めて容易に行うことができる。また、狭持片の開閉操作を操作片によって行うので使用者が操作片を操作しない限り、狭持片の閉状態を保持することが可能となる。つまり、狭持片によって狭持する力を任意に設定可能であり、かつ、強力に狭持した状態から容易に解放させることができる。
【００１１】
前記リング部が、本体に対してワンタッチ操作によって着脱自在である場合（請求項２）には、リング部に紐を通して携帯物を吊り下げた状態からワンタッチ操作で容易に携帯物を取り外すことができる。これによって、携帯物をワンタッチ操作で取り外して、携帯物を自由に使用した後に、再びリング部に係合して所持することが可能である。
【００１２】
【発明の実施の形態】
図１〜図３は本発明のクリップ１の構成を示す図であり、図１は斜視図、図２は縦断面図、図３は分解斜視図である。
【００１３】
図１〜３において、２は本体、３は第１の狭持片、４は第２の狭持片、５は第１の操作片、６は第２の操作片、７はリング部である。これらの部材２〜７は何れも硬質の合成樹脂からなり、本体２と一対の狭持片３，４には対象物を挟み込むための平面を形成すると共に、本体２と第１の狭持片３の向かい合う平面（対面）２ａ，３ａおよび本体２と第２の狭持片４の向かい合う対面２ｂ，４ａにはそれぞれ滑り止め用の凸片２ｃ，３ｂ，４ｂを形成している。
【００１４】
２ｄ，２ｅはそれぞれ一対の狭持片３，４の基端部において軸芯３ｃ、４ｃを回動自在に保持するために本体２に一体成型した軸受であり、２ｆ，２ｇはそれぞれ一対の操作片５，６の基端部を構成する軸芯５ａ，６ａを回動自在に保持するために本体２に一体成型した軸受である。
【００１５】
図２，３に示すように、前記狭持片３，４は何れも軸芯３ｃ，４ｃの近傍に略Ｌ字状のガイド体３ｄ，４ｄを形成しており、前記操作片５，６には軸芯５ａ，６ａに連設された板状でガイド体３ｄ，４ｄに当接するガイド体５ｂ，６ｂを形成している。また、５ｃ，６ｃは操作片５，６の遊端部に形成した操作部、５ｄ，６ｄは操作部５ｃ，６ｃをガイド体５ｂ，６ｂに連設するアーム体である。
【００１６】
前記狭持片３，４は基端部の軸芯３ｃ，４ｃを中心に傾動することで、その遊端部が開閉するものであり、使用者が操作部５ｃ、５ｄを操作して軸芯５ａ，６ａを中心にこれを傾動操作することで、狭持片３，４の開閉操作できるように構成している。また、図２における狭持片３は閉状態を、図２における狭持片４は幾らか開いた状態を示している。
【００１７】
前記軸受２ｄ，２ｆ、２ｅ，２ｇとガイド体３ｄ，５ｂ、４ｄ，６ｂの位置関係は、閉状態でガイド体５ｂ，６ｂの遊端部に形成された摺接部ａ（図３のみに図示）がガイド体４ｄの閉状態保持部ｂに当接し、開状態では軸芯近傍の開操作部ｃ（図３）に接すると共に、全開状態では操作部５ｃ，６ｃの基端側面に形成された部分ｄが狭持片３，４の基端部外側の部分ｅに当接するように配置している。したがって、使用者による操作片５，６の傾動操作によって、ガイド体５ｂ，６ｂの摺接部ａはガイド体４ｄの閉状態保持部ｂから開操作部ｃの間を摺動し、狭持片３，４を開閉操作できる。
【００１８】
図２に示す狭持片４および操作片６の状態が示すように、前記開閉操作に伴って摺接部ａが軸芯６ａ，４ｃ間（軸芯５ａ，３ｃ間も同様である）を結ぶ直線Ｌ上に位置するときに、摺接部ａには歪みの力がかかり、各部材２〜５が僅かに弾性変形しながら動作する。したがって、前記直線Ｌを跨いで一方の側に前記閉状態保持部ｂ、他方の側に前記開操作部ｃを配置することで、前記開閉操作には適度の抵抗力を持たせることが可能である。
【００１９】
さらに、上記のように前記軸受２ｄ，２ｆ、２ｅ，２ｇとガイド体３ｄ，５ｂ、４ｄ，６ｂの位置関係を構成することで、狭持片３，４の全開状態において狭持片３，４をその外側面から押さえるだけで、前記開操作部ｃから摺接部ａに力を加えることができ、狭持片３，４を全開状態から閉じることが可能となる。ところが、前記狭持片３，４が閉じている状態では、この狭持片３，４を無理に開こうとしても閉状態保持部ｂが摺接部ａに突き当たるので、これを開かないように保持することができる。
【００２０】
つまり、上記構成の狭持片３，４は操作片５，６を用いた操作によって狭持片３，４を容易に開閉操作できるだけでなく、狭持片３，４を直接操作してこれを閉じることができ、操作が容易である。さらに、一旦閉じた狭持片３，４は携帯物を強力に握持できる。加えて、前記対面２ａ，３ａ，２ｂ，４ａにそれぞれ滑り止め用の凸片２ｃ，３ｂ，４ｂを設けているので、携帯物が外れることがないようにしっかりと挟み込むことができる。
【００２１】
なお、前記閉状態保持部ｂの形状や、閉状態保持部ｂと軸芯３ｃ，４ｃとの距離を設定することで、閉状態を保持する力の強さを任意に設定可能である。また、操作片５，６を操作するときに必要な力は、操作片５，６の軸芯５ａ，６ａからの幅と、前記摺接部ａと軸芯５ａ，６ａとの距離の比によって自由に設定できる。
【００２２】
さらに、前記各軸芯３ｃ，４ｃ，５ａ，６ａは何れも、その両端の一部に斜め方向の切り欠き部ｆを形成している。すなわち、本体２と別体に形成された狭持片３，４および操作片５，６を本体に組み付けるときに、軸芯３ｃ，４ｃ，５ａ，６ａが容易に軸受２ｄ〜２ｇ内に嵌入するように構成している。これによって、各部材２〜６は十分な硬度と弾力性を有する硬質の合成樹脂によって形成することが可能となり、それだけクリップ１の堅牢性が向上する。
【００２３】
次に、前記リング部７およびこのリング部７の着脱機構について説明する。本例のリング部７は、狭持片３，４の基端部近傍の本体２の一端部に着脱自在に取り付けられるものであり、吊り紐を通すための長穴７ａと、前記本体２への取り付け部として弾性変形可能に構成された一対の係止部７ｂとを有する。また、長穴７ａには吊り紐などを安定的に保持するために形成された凹部からなる位置決め部７ｃを形成している。
【００２４】
一方、本体２側には、前記係止部７ｂを挿入するための孔部２ｈと、この孔部２ｈの側部において孔部２ｈ内に挿入した係止部７ｂを弾性変形させてその係止状態を解除し、これを孔部２ｈから取り外すための操作部２ｉとを形成している。
【００２５】
したがって、使用者は係止部７ｂを凹部２ｈ内に挿入するだけのワンタッチ操作によって係止部７ｂを孔部２ｈ内に係止して、リング部７を本体２に接続できる。また、リング部７を本体２から外すときは、操作部２ｉを押さえるワンタッチ操作によってこれを容易に取り外すことができるように構成している。
【００２６】
また、前記長孔７ａの形状は幅の広い帯状の吊り紐を用いるときに安定して通すことを可能としており、安定部７ｃを設けることで幅の狭い吊り紐を用いるときに吊り紐を安定して保持することができる。
【００２７】
図４、図５は本発明のクリップ１を用いた一つの使用例を説明する図である。図４，５において、１０は使用者、１１は使用者１０の身分を証明する身分証明書などの携帯物、１２は使用者が着用する衣服、１３はこの衣服のポケットである。つまり、この場合に狭持片３，４が挟み込む対象物は身分証明書１１などの携帯物とポケット１３である。
【００２８】
図４，５に示すように、本発明のクリップ１には本体２の表裏両面に開閉によって本体２との間に対象物を狭持または解放する一対の狭持片３、４を形成しているので、この一対の狭持片３，４を用いてそれぞれ異なる物を挟み込むことができる。
【００２９】
本例では、一方の狭持片３を用いて身分証明書１１を挟み込み、他方の狭持片４を用いてポケット１３に保持するようにしている。これによって使用者１０は身分証明書１１をポケット１３の外側に強固に取り付けることが可能である。なお、一つの狭持片３だけで身分証明書１１とポケット１３を挟み込むことも可能ではあるが、本発明のクリップ１を用いるとき、それぞれ異なる狭持片３，４を用いて強力に挟むことができるので、より確実に両者を挟むことができる。
【００３０】
また、一方の狭持片３または４のみを開くことで、他方の狭持片４または３をポケット１３または身分証明書１１に取り付けたままの状態で、身分証明書１１を自由に使うことができ、出先でクリップ１のみを持ち歩く必要がないので、これを紛失する心配がない。また、本発明のクリップ１の使用者１０は両方の狭持片３，４を自由に使って２つの物（本例の場合、身分証明書１１とポケット１３）を接続し、操作部５，６のワンタッチ操作によって、これを取り外すことができる。つまり、２つの狭持片３，４を設けることにより、自由度が上がり有用である。
【００３１】
また、各狭持片３，４によって身分証明書１１やポケット１３を挟み込む力は十分に強く設定できるので、身分証明書１１がポケット１３から外れる心配は全くない。したがって、本発明のクリップ１はポケット１３の外側にも安定して身分証明書１１などの携帯物を取り付けることができる。
【００３２】
図６は本発明のクリップ１を用いた別の使用例を説明する図である。図６において、１５は使用者１０の首に吊すようにした環状の紐である。すなわち、本発明のクリップ１を用いて、紐を前記長孔７ａ内に通しておくことで、使用者は吊し紐通し部７を用いて身分証明書１１などの携帯物を吊した状態で携帯することが可能となる。本例のリング部７を狭持片３，４の基端部近傍に設けているので、本例のリング部７を狭持片３，４の基端部近傍に設けているので、
【００３３】
また、吊し紐通し部７はワンタッチ操作によって本体２と分離可能であるから、使用者１０は必要に応じて身分証明書１１のみを紐１５から速やかに取り外して使用することができる。また、身分証明書１１を紐１５によって吊り下げるように吊し紐通し部７を本体２に接続した状態で、身分証明書１１を挟むために使用していない狭持片４（または３）を用いてポケット１３にも取り付けることも可能である。これによって、使用者は身分証明書１１をより安定して保持することができる。
【００３４】
上述したように本発明のクリップ１は一つの本体２に一対の狭持片３，４を設けているので、この狭持片３，４を自由に使ってあらゆる携帯物をつかんだ状態で保持することができる。また、吊し紐通し部７を形成しているので、クリップ１によってつかんだ携帯物を落ちないように紐に吊した状態で所持することを可能とし、利便性が向上する。
【００３５】
なお、上述した例は本発明のクリップ１を実現するための極めて実際的な構成を詳細に説明した例であるが、種々の変形が可能であることは言うまでもない。例えば、上記構成では各部材２をすべて同じ硬質の合成樹脂によって形成することで、その製造コスト削減する例を示しているが、本発明はこの点に限定されるものではなく、各部２〜６に適度な弾性と堅牢性のある金属などによって形成してもよいことはいうまでもない。
【００３６】
また、狭持片３，４と操作片５，６を一体成型したり、各部２〜６を全て一体成型して、別途のバネ材を用いて狭持片３，４による携帯物１１の狭持を行えるようにしてもよい。
【００３７】
さらに、上述の例ではリング部７をワンタッチ操作によって本体２から取り外し可能に構成する例を示しており、これによって操作性が向上するが、本発明はワンタッチ操作に限定さるものではない。また、リング部７も本体２に一体的に形成することで、製造コストを削減するようにしてもよい。
【００３８】
また、上述の例では携帯物の一例として身分証明書１１を例示して説明しているが、携帯物はＩＤカードやプリペイドカードなどの各種カード、免許証などの書類、財布、メモ帳、定期入れなどの袋体など、種々の物品が考えられる。
【００３９】
【発明の効果】
以上説明したように、本発明のクリップによれば、携帯して持ち歩くことが困難であった物品を衣服などに取り付けたり、紐で吊して容易に身につけることができるだけでなく、保持状態を強力に保つことができるので、信頼性があり、かつ、操作者の意志によって保持状態を解除するときには極めて容易にこれを行うことができる。
【図面の簡単な説明】
【図１】本発明の一例であるクリップの全体構成を示す斜視図である。
【図２】前記クリップの縦断面図である。
【図３】前記クリップの分解斜視図である。
【図４】前記クリップの一つの使用例を示す図である。
【図５】前記クリップの使用状態を示す図である。
【図６】前記クリップの別の使用例を示す図である。
【符号の説明】
１…クリップ、２…本体、３，４…狭持片、５，６…操作片、７…吊し紐通し部、１１…携帯物（対象物）、１３…ポケット（対象物）。
【図１】
2004340354.tif 000003
【図２】
2004340354.tif 000004
【図３】
2004340354.tif 000005
【図４】
2004340354.tif 000006
【図５】
2004340354.tif 000007
【図６】
2004340354.tif 000008